(57)【要約】【課題】空気の混入により勢いよくドレンタンクへ流入するドレン水の飛び散りを抑制する空気調和機用ドレンポンプユニットを提供する。【解決手段】本開示のドレンポンプユニット（１）は、空気調和機から導水されるドレン水を受け止める受け止め部（１０）と、受け止め部（１０）から落水されるドレン水を貯留するドレンタンク（２１）と、ドレンタンク（２１）に貯留されたドレン水を排水するドレンポンプ装置（３１）とを有し、受け止め部（１０）は、ドレン水を導水する導水管（１２）を接続する導水口（１３）と、ドレン水に混じって流れ込む空気調和機からの空気を膨張させる膨張室（１１）と、導水口（１３）から流入するドレン水を衝突させる衝突部（１５）と、衝突部（１１）に衝突しドレン水をドレンタンク（２１）に落水させる落水口（１４）とを備え、落水口（１４）の開口面積は、導水口（１３）の開口面積より大きく形成されている。【選択図】  図１
2020176747.tif 000002
【特許請求の範囲】
【請求項１】
空気調和機から導水されるドレン水を受け止める受け止め部（１０）と、
前記受け止め部（１０）から落水されるドレン水を貯留するドレンタンク（２１）と、
前記ドレンタンク（２１）に貯留されたドレン水を排水するドレンポンプ装置（３１）とを有し、
前記受け止め部（１０）は、ドレン水を導水する導水管（１２）を接続する導水口（１３）と、ドレン水に混じって流れ込む前記空気調和機からの空気を膨張させる膨張室（１１）と、前記導水口（１３）から流入するドレン水を衝突させる衝突部（１５）と、前記衝突部に衝突したドレン水を前記ドレンタンク（２１）に落水させる落水口（１４）とを備え、
前記落水口（１４）の開口面積は、前記導水口（１３）の開口面積より大きく形成されている
空気調和機用ドレンポンプユニット。
【請求項２】
前記衝突部（１５）は、前記導水口（１３）に対向する前記受け止め部（１０）の外壁を構成する壁面であり、
前記落水口（１４）は、前記受け止め部（１０）の外壁を構成する壁面の内の、前記導水口（１３）に対向しない壁面に形成されている
請求項１記載の空気調和機用ドレンポンプユニット。
【請求項３】
前記落水口（１４）は、前記導水口（１３）に対向する前記受け止め部（１０）の外壁を構成する壁面において、前記導水口（１３）に対向する位置を避けて形成され、
前記衝突部（１５）は、前記導水口（１３）に対向する前記受け止め部（１０）の外壁を構成する壁面において、前記導水口（１３）に対向して形成されている
請求項１記載の空気調和機用ドレンポンプユニット。
【請求項４】
前記衝突部（１５）は、前記受け止め部（１０）内に設けられた対向部材（１６）により構成されている
請求項１記載の空気調和機用ドレンポンプユニット。
【請求項５】
前記落水口（１４）は、複数のドレン水落水用の開口から成る
請求項１〜請求項４の何れか１項に記載の空気調和機用ドレンポンプユニット。
【発明の詳細な説明】
【技術分野】
【０００１】
本開示は、空気調和機用ドレンポンプユニットに関する。
【背景技術】
【０００２】
本開示に係る空気調和機用ドレンポンプユニットは、室内熱交換器及びドレンパンが室内送風機の吹出側に配置されている天井埋め込み型空気調和機におけるドレン水の排水に用いられる。図１２に一例を示すように、このような天井埋め込み型空気調和機１０１は、天井１０２に取り付けられている複数の吸込口１０３から室内空気を吸い込む吸入ダクト１０４と、天井１０２に取り付けられている複数の吹出口１０５から冷風を吹き出す吹出ダクト１０６を備えている。機内に設置される室内送風機１０７は、ダクト送風のために高静圧を要することから、シロッコファンが一般的に用いられている。室内送風機１０７の吹出側と吸込側との間には仕切壁が設けられており、室内熱交換器１０８及びドレンパン１０９は正圧域に設置されている。ドレンパン１０９の排水口には、ドレンパン１０９に溜まったドレン水をドレンポンプユニット１１０へ導水する導水管１１１が接続されている。
【０００３】
ドレンポンプユニット１１０は、導水管１１１を接続する導水口１１２を備えたドレンタンク１１３と、ドレンタンク１１３に貯留されたドレン水を排出するためのドレンポンプ１１４と、ドレンポンプ１１４の吐出側に接続される排水管１１５等を備えている。ドレンタンク１１３は、図１２には詳細を記載していないが、ドレン水を貯留する貯水部と、貯水部の上方開口を閉蓋する上蓋部とよりなり、導水口１１２は上蓋部に設けられている。なお、ドレンポンプユニット１１０は、ドレンタンク１１３内のドレン水の水位によりポンプを発停制御するためのフロートスイッチ等の制御部品が設けられているが、この図では省略している。
【０００４】
こうしたドレンポンプユニット１１０のように、ドレン水をドレンタンク１１３内へ導水する場合には水滴飛散の恐れがあり、水滴飛散防止の方法が従来考案されている。その方法は、特許文献１に記載のものである。特許文献１に記載の水滴飛散防止の方法は、ドレン水が滴下するドレン口の直下に角度を持って受け止める防滴板を配置し、防滴板の排水タンクの角部に切欠を設け、排水タンクの内壁を伝って静かに流すようにしたものである。
【先行技術文献】
【特許文献】
【０００５】
【特許文献１】実開昭５９−１８４０１６号公報
【発明の概要】
【発明が解決しようとする課題】
【０００６】
しかしながら、図１２に記載の天井埋め込み型空気調和機１０１においては、ドレンパン１０９に室内送風機１０７の高静圧が作用するとともに、室内送風機１０７からの吹出空気の一部がドレン水とともに導水管１１１内に流れ込んでいた。このため、ドレンポンプユニット１１０の導水口１１２に排水されるドレン水は、混入する空気の動圧が作用し、ドレン水流入の勢いが強くなっていた。したがって、特許文献１に記載の水滴飛散防止の方法は、この場合のドレン水の飛び散りを回避する方策としては不十分であった。
【０００７】
本開示は、空気の混入により勢いよくドレンタンクへ落水するドレン水の飛び散りを抑制する空気調和機用ドレンポンプユニットを提供することを目的とする。
【課題を解決するための手段】
【０００８】
第１の観点に係る空気調和機用ドレンポンプユニットは、空気調和機から導水されるドレン水を受け止める受け止め部と、前記受け止め部から落水されるドレン水を貯留するドレンタンクと、前記ドレンタンクに貯留されたドレン水を排水するドレンポンプ装置とを有し、前記受け止め部は、ドレン水を導水する導水管を接続する導水口と、ドレン水に混じって流れ込む前記空気調和機からの空気を膨張させる膨張室と、前記導水口から流入するドレン水を衝突させる衝突部と、前記衝突部に衝突したドレン水を前記ドレンタンクに落水させる落水口とを備え、前記落水口の開口面積は、前記導水口の開口面積より大きく形成されている。
【０００９】
このような構成によれば、受け止め部へ流入するドレン水の流速は、衝突部におけるドレン水の衝突により弱められ、ドレン水とともに受け止め部へ流入する空気の動圧は、膨張室における空気の膨張により弱められる。受け止め部に流入したドレン水の流速及び空気の風速は、勢いが弱められた後、通過面積が拡大された落水口から静かにドレンタンクに落水される。
【００１０】
第２の観点に係る空気調和機用ドレンポンプユニットによれば、前記衝突部は、前記導水口に対向する前記受け止め部の外壁を構成する壁面であり、前記落水口は、前記受け止め部の外壁を構成する壁面の内の、前記導水口に対向しない壁面に形成されている。
【００１１】
このような構成によれば、衝突部は、受け止め部の外壁を構成する壁面を利用した構成であるので、衝突部の構成、延いては受け止め部の構成を簡略化することができる。
第３の観点に係る空気調和機用ドレンポンプユニットによれば、前記落水口は、前記導水口に対向する前記受け止め部の外壁を構成する壁面において、前記導水口に対向する位置を避けて形成され、前記衝突部は、前記導水口に対向する前記受け止め部の外壁を構成する壁面において、前記導水口に対向して形成されている。
【００１２】
このような構成によれば、衝突部及び落水口の双方が、受け止め部の外壁を構成する壁面のうちの、導水口に対向する一面の壁面に形成されるので、受け止め部を小型化し、かつ簡略化することができる。
【００１３】
第４の観点に係る空気調和機用ドレンポンプユニットによれば、前記衝突部は、前記受け止め部内に設けられた対向部材により構成されている。
このような構成によれば、導水口と落水口との位置関係についての制約が緩和される。衝突部を成す対向部材の構成により、落水口よりドレンタンク内へ落水するドレン水の流速及び空気の風速を調整することができる。
【００１４】
第５の観点に係る空気調和機用ドレンポンプユニットによれば、前記落水口は、複数のドレン水落水用の開口から成る。
このような構成によれば、落水口の位置及び落水口の開口面積の設定の融通性を向上させることができる。
【図面の簡単な説明】
【００１５】
【図１】第１実施形態に係る空気調和機用ドレンポンプユニットの概略構成図。
【図２】同ドレンポンプユニットの外観斜視図。
【図３】同ドレンポンプユニットにおける受け止め部の、断熱材を省略した図面であって、図１におけるＡ矢視図。
【図４】図３におけるＢ−Ｂ断面図。
【図５】第２実施形態に係る受け止め部の図であって、図３に対応する図。
【図６】図５におけるＣ−Ｃ断面図。
【図７】第３実施形態に係る受け止め部を示す斜視図。
【図８】第４実施形態に係る受け止め部を示す斜視図。
【図９】第５実施形態に係る受け止め部を示す断面図。
【図１０】第６実施形態に係る受け止め部を示す断面図。
【図１１】図１０におけるＤ−Ｄ断面図。
【図１２】従来の空気調和機用ドレンポンプユニットを用いた空気調和システムの概略構成図。
【発明を実施するための形態】
【００１６】
以下図面を参照して、各実施形態に係る空気調和機用ドレンポンプユニットについて説明する。なお、本開示は、以下に記載する例示に限定されるものではなく、特許請求の範囲によって示され、特許請求の範囲と均等の意味および範囲内での全ての変更が含まれることが意図される。
【００１７】
本開示の空気調和機用ドレンポンプユニットは、従来例として図１０に図示した空気調和システムと同様の、ダクト接続タイプの天井埋め込み型空気調和機を用いた空気調和システムに用いられるものである。一般に、ダクト接続タイプの天井埋め込み型空気調和機としては、室内熱交換器及びドレンパンを室内送風機の吹出側に設けた所謂押し込み型と、室内熱交換器及びドレンパンを室内送風機の吸込側に設けた所謂吸込み型との２種類がある。本開示の空気調和機用ドレンポンプユニットは、このような２種のダクト接続タイプの天井埋め込み型空気調和機の内の、所謂押し込み型の、ダクト接続タイプの天井埋め込み型空気調和機のドレン水処理に使用されるものである。
【００１８】
所謂押し込み型の、ダクト接続タイプの天井埋め込み型空気調和機において、ドレンパンに貯留されたドレン水には高静圧の空気圧が作用する。また、室内送風機から吹き出された空気は、動圧に変換されてドレン水とともにドレン水を導水する導水管に流れ込む。このため、押し込み型の、ダクト接続タイプの天井埋め込み型空気調和機のドレン水処理に使用されるドレンポンプユニットでは、導水されるドレン水の流速が早く、ドレン水に混入して流れてくる空気の風速も早いという現象に対応できることが必要である。
【００１９】
（第１実施形態）
以下、図１〜図４に基づき第１実施形態について説明する。
図１に示すように、本開示のドレンポンプユニット１は、押し込み型の、ダクト接続タイプの天井埋め込み型空気調和機からのドレン水を排水するものである。ドレンポンプユニット１は、ドレン水を受け止める受け止め部１０と、ドレンタンク２１を収容する本体部２０と、ドレンタンク２１に貯留されたドレン水を排出するドレンポンプ装置３１を備えたポンプ部３０と、本体部２０の上部を閉蓋する上蓋部４０とを有する。なお、以下の説明において、ドレンポンプユニット１の前後、左右、上下方向を言うときは、図２に記載した方向を言うものとする。
【００２０】
受け止め部１０は、押し込み型の、ダクト接続タイプの天井埋め込み型空気調和機から勢いよく流入するドレン水を受け止める部分である。受け止め部１０の機能は、流入するドレン水を一時的に受け止め、ドレン水の飛び散りを抑制しながら、ドレン水をドレンタンク２１へ落水させることにある。
【００２１】
受け止め部１０は、上蓋部４０の左側部分の上面に取り付けられている。受け止め部１０は、天井埋め込み型空気調和機からドレン水とともに流入する空気を膨張させて、空気の動圧を静圧に変換する膨張室１１を備えている。受け止め部１０は、膨張室１１と、導水管１２に接続される導水口１３と、導水口１３から流入するドレン水をドレンタンク２１に落水させる落水口１４とを備えている。また、受け止め部１０は、導水口１３から勢いよく流入するドレン水がそのまま落水口１４からドレンタンク２１に流入しないようにするために衝突部１５を備えている。衝突部１５は、導水口１３から流入するドレン水を、落水口１４へ流れる前に衝突させて流速を弱める。
【００２２】
第１実施形態における受け止め部１０において、膨張室１１は、直方体形状であって、内部に所定容積の密閉状空間部を形成する容器である。この密閉状空間部の容積は、流入する空気の動圧を所定の静圧に変換する膨張機能を備える大きさに設定されている。導水口１３は、膨張室１１の左側面略中央部に形成されている。落水口１４は、図３及び図４に示すように、膨張室１１の下面に形成されている。落水口１４は、短管状のものが３個形成されている。３個の落水口１４の開口面積は、導水口１３の開口面積より大きくなるように、この実施形態では約３倍に設定されている。衝突部１５は、導水口１３に対面する膨張室１１の外壁を構成する壁面である。膨張室１１は、骨格となる樹脂製容器が形成され、この容器の外表面部に断熱材が取り付けられたものである。
【００２３】
本体部２０は、直方体の上部開放の本体ケース２２内にドレンタンク２１を収納したものである。
ドレンタンク２１は、左方からドレン水の落水受部２３、貯留部２４、予備貯留部２５の三つの部分により構成されている。落水受部２３は、受け止め部１０から落水されるドレン水を受ける部分である。落水受部２３は、ドレン水がドレンタンク２１に最初に流入する部分であり、貯留部２４への案内機能を有する。貯留部２４は、ドレン水を一定量貯留してドレンポンプ装置３１を支障なく作動させる。これにより、天井埋め込み型空気調和機で発生したドレン水が支障なく排出される。予備貯留部２５は、何らかの事情により貯留部２４からドレン水が溢れる場合に、溢れるドレン水を一時的に貯留する部分である。
【００２４】
ドレンタンク２１は、上面を硬質の樹脂製板で形成し、その下面を断熱材で形成している。ドレンタンク２１は、本体ケース２２内に嵌合的に組み付けされる外形寸法に形成されている。ドレンタンク２１は、本体ケース２２内に嵌め込みやすいように側面がテーパ状に形成されている。
【００２５】
本体ケース２２は、鋼板製ケース２２ａを内表面とし、鋼板製ケース２２ａの外表面に断熱材２２ｂを取り付けたものである。鋼板製ケース２２ａの左右には、ドレンポンプユニット１自体を吊り下げるためのねじ棒２６を固定する取付部２２ｃが設けられている。ねじ棒２６は、取付部２２ｃの水平部に形成された切欠孔に通され、上下からナット２７が締め付けられて水平部に固定されている。
【００２６】
ポンプ部３０は、ドレンポンプ装置３１を備えている。
ドレンポンプ装置３１は、駆動源としてのポンプモータ３２と、ポンプモータ３２により駆動されるインペラーユニット３３とにより構成される。ポンプモータ３２は、上蓋部４０に取り付けられている基板３４上にマウントされている。基板３４は、比較的厚肉の硬質の樹脂製板であって、上蓋部４０の中央部分に、前後方向に延びるように嵌め込まれて、取り付けられている。
【００２７】
ポンプモータ３２は、駆動軸が基板３４の下方に延びており、その先端部にインペラーユニット３３が取り付けられている。
インペラーユニット３３は、貯留部２４に貯留されたドレン水を汲み上げるものである。インペラーユニット３３は、貯留部２４に所定量のドレン水が貯留されたときに、浸漬される位置に設置される。インペラーユニット３３は、インペラケーシング３３ａ内にインペラ３３ｂが取り付けられており、インペラケーシング３３ａのインペラ３３ｂの下方部にドレン水吸込み用の開口（不図示）が設けられている。インペラケーシング３３ａは、円盤状に形成されており、前方上面に吐出口（不図示）が上方に向けて立ち上げられ、基板３４の上面に設けられている吐出ノズル３３ｃ（図２参照）へ接続されている。吐出ノズル３３ｃは、図２に示すように、モータカバー３２ａの前方に位置する。
【００２８】
基板３４の下方におけるインペラーユニット３３の周辺部に、第１フロートスイッチ３５と第２フロートスイッチ３６とが設けられている。
第１フロートスイッチ３５は、ドレンタンク２１の貯留部２４内の水位が予め定められた下限水位を超えているときにＯＮとなり、下限水位以下でＯＦＦとなる。第２フロートスイッチ３６は、貯留部２４内の水位が予め定められた上限水位を超えたときにＯＮとなり、上限水位以下でＯＦＦとなる。第１フロートスイッチ３５及び第２フロートスイッチ３６のＯＮ−ＯＦＦ動作により、ドレンポンプ装置３１のハンチング運転を防止しながら、ドレンポンプ装置３１をＯＮ−ＯＦＦ制御している。
【００２９】
基板３４の上面にマウントされたポンプモータ３２は、モータカバー３２ａにより覆われている。モータカバー３２ａの上方部分の左右側面及び背面には、冷却用空気の流通を可能とするスリット孔３２ｂが形成されている。
【００３０】
基板３４の上面におけるモータカバー３２ａの後方には、ポンプモータ３２を制御するための電子部品を実装した基板等が取り付けられている。これら基板等は、部品カバー３７により覆われている。
【００３１】
上蓋部４０は、本体部２０の上面を覆う天面と、天面の周縁に形成された垂下壁とを有し、本体部２０の上面に被さるように形成されている。上蓋部４０は、本体部２０と同様に内面壁４１を鋼板により形成し、これを基材として外表面を断熱材４２で覆っている。上蓋部４０は、左方に受け止め部１０を載置している。上蓋部４０の左方部には、受け止め部１０の、３個の落水口１４をドレンタンク２１内に突出させるように、３個の孔部４３が形成されている。上蓋部４０の中央部には、前述のようにポンプ部３０の基板３４を嵌め込み式に載置するように開口部４４を有する取付部が形成されている。上蓋部４０の右方部には、予備貯留部２５内を視認可能とする覗き窓４５が形成されている。
【００３２】
次に、第１実施形態の作用について記載する。
第１実施形態のドレンポンプユニット１には、押し込み型の、ダクト接続タイプの天井埋め込み型空気調和機からのドレン水を受けて貯留するように、導水管１２が接続されている。押し込み型の、ダクト接続タイプの天井埋め込み型空気調和機が運転されると、この空気調和機内で発生したドレン水が、導水管１２により送られてくる。送られてくるドレン水は、室内送風機吹出側の高静圧の空気圧を受けて送り出されるとともに、室内送風機から吹き出された空気の一部が入り混じった状態となっている。このため、導水口１３から流入するドレン水は、動圧の大きい空気が入り混じった状態であって、勢いよく受け止め部１０に流入する。
【００３３】
導水口１３から受け止め部１０内に流入したドレン水は、衝突部１５に衝突して勢いが弱められる。ドレン水に混じって流入した空気は、受け止め部１０の膨張室１１で動圧が静圧に変換され、風速が減速される。これにより、空気の混入したドレン水は、流速が弱められた状態となって、落水口１４からドレンタンク２１の落水受部２３に落水され、落水受部２３に落水されるときの水の飛び跳ねが抑制される。
【００３４】
落水されたドレン水は、落水受部２３と貯留部２４とが一体に形成されているため、貯留部２４に貯留される。そして、貯留部２４内の水面が予め定められた第２フロートスイッチ３６の上限水位を超えて、第１フロートスイッチ３５及び第２フロートスイッチ３６がＯＮになったときにドレンポンプ装置３１が駆動され、ドレン水が吐出ノズル３３ｃから吐出される。その後は、第１フロートスイッチ３５及び第２フロートスイッチ３６のＯＮ−ＯＦＦ動作により、ドレンポンプ装置３１がチャタリングしないようにＯＮ−ＯＦＦ制御され、ドレン水が排出される。なお、貯留部２４が異常水位になったときは、異常を検知する不図示のスイッチが作動し、空気調和機の運転を停止するように構成されている。また、何らかの事情により貯留部２４からドレン水が溢れるようなことがあった場合、貯留部２４から溢れたドレン水は、予備貯留部２５に一時的に貯留されるように構成されている。
【００３５】
第１実施形態に係るドレンポンプユニット１は、以上のように構成されているため、次のような効果を奏することができる。
（１−１）受け止め部１０へ流入するドレン水の流速は、衝突部１５におけるドレン水の衝突により弱められる。また、ドレン水とともに受け止め部１０へ導入される空気の動圧は、膨張室１１における空気の膨張により弱められる。受け止め部１０に導入されたドレン水の流速及び空気の風速は、勢いが弱められた後、通過面積が拡大された落水口１４から静かにドレンタンク２１に落水される。これにより、ドレン水がドレンタンク２１に落水されるときの水滴の飛散が抑制される。
【００３６】
（１−２）衝突部１５は、受け止め部１０の外壁を構成する壁面を利用した構成であるので、衝突部１５の構成、延いては受け止め部１０の構成を簡略化することができる。
（１−３）落水口１４を、複数のドレン水落水用の開口から構成しているので、落水口１４を１個にする場合に比べて、落水口１４の位置及び落水口１４の開口面積の設定に関する融通性を向上させることができる。
【００３７】
（第２実施形態）
次に、第２実施形態に係るドレンポンプユニット１について図５及び図６に基づき説明する。なお、第１実施形態と同一の部分には同一の符号を付し、その説明を簡略化する。
【００３８】
第２実施形態に係るドレンポンプユニット１は、第１実施形態において受け止め部１０の構成を変更したものである。
図５及び図６に示すように、第２実施形態に係るドレンポンプユニット１は、受け止め部１０に設けられる落水口１４を１個とし、その開口面積を導水口１３の開口面積に比べ大きくしたものである。なお、この場合の１個の落水口１４は、第１実施形態の場合と同様に、膨張室１１の下面に形成されている。これにより、衝突部１５を導水口１３に対面する膨張室１１の外壁を構成する壁部とし、導水口１３から勢いよく流れてくるドレン水及び空気がそのまま落水口１４からドレンタンク２１に流入しないようにしている。
【００３９】
第２実施形態に係るドレンポンプユニット１は、第１実施形態に係るドレンポンプユニット１の（１−１）及び（１−２）と同様の作用効果を奏するとともに、次の効果を奏することができる。
【００４０】
（２−１）落水口１４を１個にしたので、落水口１４の構成、延いては、受け止め部１０の構成を簡略化することができる。
（第３実施形態）
次に、第３実施形態に係るドレンポンプユニット１について図７に基づき説明する。なお、第１実施形態と同一の部分には同一の符号を付し、その説明を簡略化する。
【００４１】
第３実施形態に係るドレンポンプユニット１は、第１実施形態において受け止め部１０の構成を変更したものである。
図７に示すように、第３実施形態に係るドレンポンプユニット１は、落水口１４を、導水口１３に対向する受け止め部１０の外壁を構成する壁面において、導水口１３に対向する位置を避けて２個形成している。また、第３実施形態に係るドレンポンプユニット１は、衝突部１５を、導水口１３に対向する受け止め部１０の外壁を構成する壁面において、導水口１３に対向して形成している。このように構成する場合は、導水口１３を形成する壁面と、落水口１４を形成する壁面の向きを異ならせる必要がないので、膨張室１１をヘッダー形状とし、その構成を簡略化している。
【００４２】
第３実施形態に係るドレンポンプユニット１は、第１実施形態に係るドレンポンプユニット１の（１−１）、（１−２）、及び（１−３）と同様の作用効果を奏するとともに、次の効果を奏することができる。
【００４３】
（３−１）衝突部１５及び落水口１４の双方を、導水口１３に対向する受け止め部１０の外壁を構成する壁面に形成しているので、受け止め部１０を小型化し、かつ簡略化することができる。
【００４４】
（第４実施形態）
次に、第４実施形態に係るドレンポンプユニット１について図８に基づき説明する。なお、第２実施形態と同一の部分には同一の符号を付し、その説明を簡略化する。
【００４５】
第４実施形態に係るドレンポンプユニット１は、第２実施形態において受け止め部１０の構成を変更したものである。
図８に示すように、第４実施形態に係るドレンポンプユニット１は、膨張室１１の形状及び落水口１４の形状を変更したものである。膨張室１１は、一定厚みの略扇形としたものであり扇形の側面に導水口１３を設けている。そして、第２実施形態と同様に、衝突部１５を導水口１３に対向する扇形形状の外壁部を構成する壁面としている。落水口１４は、第２実施形態と異なり、四角形の開口部としている。
【００４６】
第４実施形態に係るドレンポンプユニット１は、第２実施形態に係るドレンポンプユニット１の（１−１）、（１−２）、及び（２−１）と同様の作用効果を奏するとともに、次の効果を奏することができる。
【００４７】
（４−１）膨張室１１及び落水口１４の形状は、第１実施形態〜第３実施形態のようなものでなく種々の形状を取り得る。
（第５実施形態）
次に、第５実施形態に係るドレンポンプユニット１について図９に基づき説明する。なお、第１実施形態と同一の部分には同一の符号を付し、その説明を簡略化する。
【００４８】
第５実施形態に係るドレンポンプユニット１は、第１実施形態において受け止め部１０の構成を変更したものである。
図９に示すように、第５実施形態に係るドレンポンプユニット１は、膨張室１１を直方体形状とし、導水口１３と落水口１４とを対向する外壁に設けている。この場合、導水口１３を上面とし、落水口１４を下面とする。そして、この対向する外壁間に膨張室１１を二分するように対向部材１６が設けられている。
【００４９】
対向部材１６は、空気が混入したドレン水の通過抵抗を調整でき、流入するドレン水を適切に分散できるものであればよい。このような構成部材は、例えば、多数の孔１６ａが形成された板材である。板材としては、鋼板製でも樹脂製でもよい。孔１６ａの形状は、丸孔、三角形孔、菱形孔、星形孔、直線状スリット孔、波形スリット孔など適宜のものでよい。孔１６ａの大きさ、配置状態、及び個数は、ドレン水に混じって流入してくる空気の通過抵抗を所定レベルにするものであって、膨張室１１に流入するドレン水を適切に分散できるものであればよく、特定のものに限定されない。
【００５０】
このように構成することにより、対向部材１６は導水されるドレン水を衝突させる衝突部１５を形成する。これによりドレン水の流速が弱められる。また、ドレン水とともに流入する空気に対し、対向部材１６の手前の室が第１膨張室１１ａとなり、後ろ側の室が第２膨張室１１ｂとなる。これにより、導水口１３から導入する空気の動圧、すなわち風速を弱めることができる。
【００５１】
第５実施形態に係るドレンポンプユニット１は、第１実施形態に係るドレンポンプユニット１の（１−１）及び（１−３）と同様の効果を奏するとともに、次の効果を奏することができる。
【００５２】
（５−１）対向部材１６を設けることにより、導水口１３及び落水口１４に対する設計上の制約が緩和される。
（５−２）対向部材１６の空気が混入したドレン水の通過抵抗レベルを調整することにより、ドレンタンク２１に流入するドレン水の勢いを調整することが容易になる。
【００５３】
（第６実施形態）
次に、第６実施形態に係るドレンポンプユニット１について図１０及び図１１に基づき説明する。なお、第５実施形態と同一の部分には同一の符号を付し、その説明を簡略化する。
【００５４】
第６実施形態に係るドレンポンプユニット１は、第５実施形態において対向部材１６を変更したものである。
図１０及び図１１に示すように、第６実施形態に係るドレンポンプユニット１は、第５実施形態における対向部材１６の大きさを小さくしたものである。第６実施形態における対向部材１６は、導水口１３に対向する膨張室１１の断面中央部に位置する長方形状の板部材である。対向部材１６は、適宜の手段により膨張室１１内に固定されるものであって、対向部材１６の外周と膨張室１１の外壁との間に隙間を有する程度の大きさとしたものである。対向部材１６は、第５実施形態の場合と同様のものでよい。
【００５５】
このように構成することにより、対向部材１６は導水されるドレン水を衝突させる衝突部１５を形成する。これによりドレン水の流速が弱められる。また、ドレン水とともに流入する空気に対する膨張室１１は、第５実施形態とは異なるものであって、第１〜第４実施形態の場合と同様に１個の膨張室として機能し、導水口１３から導入する空気の動圧、すなわち風速を弱めることができる。
【００５６】
第６実施形態に係るドレンポンプユニット１は、第５実施形態に係るドレンポンプユニット１と同様に、第１実施形態の（１−１）及び（１−３）、並びに、第５実施形態の（５−１）及び（５−２）と同様の効果を奏することができる。
【００５７】
（変更例）
上記各実施形態に関する説明は、本開示に従うドレンポンプユニット１の例示であり、その形態を制限することを意図していない。本開示に従うドレンポンプユニット１は、例えば以下に示される上記各実施形態の変更例、及び相互に矛盾しない少なくとも２つの変更例が組み合わせられた形態を取り得る。以下の変更例において、上記各実施形態と共通する部分は、上記各実施形態と同一の符号を付してその説明を省略する。
【００５８】
・各実施形態において、落水口１４の開口面積は、導水口１３の開口面積に対し所定の割合で大きいことを条件として、落水口１４の個数、及び各落水口１４の開口面積は、任意に変更することができる。
【００５９】
・落水口１４の開口形状についても、落水口１４の開口面積が導水口１３の開口面積に対し所定の割合で大きいことを条件として、種々の形状を取ることができる。例えば、第１実施形態において、各落水口１４の形状を、四角形、楕円形、長円形、三角形などに変更してもよい。
【００６０】
・受け止め部１０の膨張室１１の形状についても、衝突部１５が形成されることを条件として種々の形態をとってもよい。例えば、第１実施形態や第２実施形態において、膨張室の直方体の形状を異なるプロポーションにしてもよい。また、第５実施形態及び第６実施形態において、直方体ではなく、球形、ラグビボール形、円筒形などにしてもよい。
【００６１】
・各実施形態においてドレンタンク２１には、予備貯留部２５が設けられていたが、これは、必須のものではない。
・各実施形態においてドレンタンク２１は、落水受部２３と貯留部２４とが区別できる形状となっていたが、そのような区別性は必須のものではなく、一体形状のものであってもよい。
【００６２】
・各実施形態において、膨張室１１の骨格、ドレンタンク２１の上面、及び、ポンプモータ３２をマウントする基板３４は、それぞれ硬質の樹脂製板部材により形成されていた。しかし、これらを鋼板製板部材により形成してもよい。
【００６３】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００６４】
１  ドレンポンプユニット
１０  受け止め部
１１  膨張室
１１ａ  第１膨張室
１１ｂ  第２膨張室
１２  導水管
１３  導水口
１４  落水口
１５  衝突部
１６  対向部材
１６ａ  孔
２０  本体部
２１  ドレンタンク
２２  本体ケース
２２ａ  鋼板製ケース
２２ｂ  断熱材
２２ｃ  取付部
２３  落水受部
２４  貯留部
２５  予備貯留部
２６  ねじ棒
２７  ナット
３０  ポンプ部
３１  ドレンポンプ装置
３２  ポンプモータ
３２ａ  モータカバー
３２ｂ  スリット孔
３３  インペラーユニット
３３ａ  インペラケーシング
３３ｂ  インペラ
３３ｃ  吐出ノズル
３４  基板
３５  第１フロートスイッチ
３６  第２フロートスイッチ
３７  部品カバー
４０  上蓋部
４１  内面壁
４２  断熱材
４３  孔部
４４  開口部
４５  覗き窓
１０１  天井埋め込み型空気調和機
１０２  天井
１０３  吸込口
１０４  吸入ダクト
１０５  吹出口
１０６  吹出ダクト
１０７  室内送風機
１０８  室内熱交換器
１０９  ドレンパン
１１０  ドレンポンプユニット
１１１  導水管
１１２  導水口
１１３  ドレンタンク
１１４  ドレンポンプ
１１５  排水管
【図１】
2020176747.tif 000003
【図２】
2020176747.tif 000004
【図３】
2020176747.tif 000005
【図４】
2020176747.tif 000006
【図５】
2020176747.tif 000007
【図６】
2020176747.tif 000008
【図７】
2020176747.tif 000009
【図８】
2020176747.tif 000010
【図９】
2020176747.tif 000011
【図１０】
2020176747.tif 000012
【図１１】
2020176747.tif 000013
【図１２】
2020176747.tif 000014